【手続補正書】
【提出日】平成16年4月20日(2004.4.20)
【手続補正１】
【補正対象書類名】明細書
【補正対象項目名】発明の名称
【補正方法】変更
【補正の内容】
【発明の名称】アクセス装置、コンテンツ配信サーバ収容装置、及びコンテンツ駆動型コンテンツ配信システム


【手続補正２】
【補正対象書類名】明細書
【補正対象項目名】特許請求の範囲
【補正方法】変更
【補正の内容】
【特許請求の範囲】
【請求項１】
少なくとも１つ以上のコンテンツを蓄積するコンテンツ配信サーバを収容しており、ユーザ側処理装置から送出されるコンテンツ配信サーバ接続情報要求あるいはコンテンツ取得要求を前記コンテンツ配信サーバに転送し、前記コンテンツ配信サーバから送られるコンテンツを載せたパケットに対し、品質クラスの品質識別子を付与し前記ユーザ側処理装置に向けて送出するコンテンツ配信サーバ収容装置と、
ユーザ側処理装置から送出されるコンテンツ配信サーバ接続要求あるいはコンテンツ取得要求に基づき仮想網ＩＤ及び品質クラスを特定すると共に、情報トラヒック量あるいは処理負荷量に基づきコンテンツ配信網に形成した仮想網を介し前記コンテンツ配信サーバ収容装置に接続するための装置ＩＤを特定し、特定された前記仮想網ＩＤ、前記品質クラス、コンテンツ配信サーバ収容装置に接続するための前記装置ＩＤを通知する接続マネージャと
を備えるコンテンツ駆動型コンテンツ配信システムに用いられ、
前記接続マネージャより受信した仮想網ＩＤに基づき、前記ユーザ側処理装置から送出されるユーザパケットに対し、前記品質クラスの品質識別子の付与及び前記仮想網への転送を行い、前記仮想網から送られてくるコンテンツを前記ユーザ側処理装置に転送するアクセス装置であって、
前記ユーザ側処理装置から送出されるコンテンツ配信サーバ接続要求あるいはコンテンツ取得要求のパケットヘッダに対し、前記接続マネージャを宛先、アクセス装置自身を送信元とするパケットヘッダに変換し、前記接続マネージャに当該パケット（変換したパケット）を送出する手段と、
前記接続マネージャから仮想網ＩＤ、品質クラス、コンテンツ配信サーバ収容装置に接続するための装置ＩＤが通知されることによって、前記装置ＩＤを有するコンテンツ配信サーバ収容装置を宛先、アクセス装置自身を送信元とする前記コンテンツ配信サーバ接続要求あるいはコンテンツ取得要求を送出する手段と
を有することを特徴とするアクセス装置。
【請求項２】
ユーザ側処理装置から送出されるコンテンツ配信サーバ接続要求あるいはコンテンツ取得要求に基づき、仮想網ＩＤ及び品質クラスを特定し、情報トラヒック量あるいは処理負荷量に基づき、コンテンツ配信網に形成した仮想網を介してコンテンツ配信サーバ収容装置に接続するための装置ＩＤを特定し、特定された前記仮想網ＩＤ、前記品質クラス、コンテンツ配信サーバ収容装置に接続するための前記装置ＩＤを通知する接続マネージャと、
前記接続マネージャより受信した前記仮想網ＩＤに基づき、前記ユーザ側処理装置から送出されるユーザパケットに対し、前記品質クラスの品質識別子の付与及び前記仮想網への転送を行い、前記仮想網から送られてくるコンテンツを前記ユーザ側処理装置に転送するアクセス装置と
を備えるコンテンツ駆動型コンテンツ配信システムに用いられ、
ユーザ側処理装置から送出されるコンテンツ配信サーバ接続情報要求あるいはコンテンツ取得要求を前記コンテンツ配信サーバに転送し、前記コンテンツ配信サーバから送られるコンテンツを載せたパケットに対し、品質クラスの品質識別子を付与し前記ユーザ側処理装置に向けて送出するコンテンツ配信サーバ収容装置であって、
前記コンテンツ配信サーバから送られるコンテンツを載せたパケットに対し、前記アクセス装置を宛先、コンテンツ配信サーバ収容装置自身を送信元とするパケットヘッダに変換し、前記変換されたパケットを隣接するデータ転送装置に送出する手段を有し、
前記アクセス装置がコンテンツを載せたパケットに対し、ユーザ側処理装置を宛先、アクセス装置自身を送信元とするパケットヘッダに変換し、ユーザ側処理装置に当該パケットを送出することを特徴とするコンテンツ配信サーバ収容装置。
【請求項３】
少なくとも１つ以上のコンテンツを蓄積し、コンテンツ配信サーバ接続要求あるいはコンテンツ取得要求に応答して、当該コンテンツを送出するコンテンツ配信サーバと、各コンテンツに付与されたコンテンツＩＤの管理、各コンテンツを収容するコンテンツ配信サーバ収容装置の装置ＩＤの管理、コンテンツ毎の取得許可条件の管理、コンテンツＩＤと当該コンテンツを収容する装置ＩＤとの対応管理、コンテンツＩＤと当該コンテンツを転送する仮想網の仮想網ＩＤとの対応管理、及びコンテンツＩＤと当該コンテンツを転送する際の品質クラスとの管理の各管理を行うコンテンツ管理サーバと、ユーザから送出されるコンテンツ配信サーバ接続要求あるいはコンテンツ取得要求を受信し、この受信情報に基づき、前記仮想網ＩＤ及び前記品質クラスを特定し、品質マネージャが監視しているコンテンツ配信サーバ収容装置、アクセス装置、データ転送装置、及びコンテンツ配信サーバで処理されている情報トラヒック量あるいは処理負荷量に基づき、装置ＩＤを特定し、前記仮想網ＩＤ、前記品質クラス、及び前記装置ＩＤをアクセス装置に通知する手段を有する接続マネージャと、前記接続マネージャより受信した前記仮想網ＩＤに基づき、ユーザから送出されるユーザパケットに対し、前記品質クラスの品質識別子の付与及び前記仮想網への転送を行い、前記仮想網から送られてくるコンテンツをユーザに転送するアクセス装置と、前記コンテンツ配信サーバを収容し、データ転送装置から送られる前記コンテンツ配信サーバ接続情報要求あるいは前記コンテンツ取得要求をコンテンツ配信サーバに転送する手段と、コンテンツ配信サーバから送られるコンテンツを載せたパケットに対し、前記品質クラスの品質識別子の付与、データ転送装置への転送を行う手段を有するコンテンツ配信サーバ収容装置と、前記コンテンツ配信サーバ接続要求あるいは前記コンテンツ取得要求を、前記品質識別子に基づき、宛先のコンテンツ配信サーバ収容装置に転送する手段と、当該コンテンツを前記品質識別子に基づき、宛先のユーザを収容するアクセス装置に転送する手段を有する前記データ転送装置と、前記アクセス装置と前記データ転送装置、あるいは、前記コンテンツ配信サーバ収容装置と前記データ転送装置とを相互に接続することによって形成されるコンテンツ配信網と、前記コンテンツ配信サーバ収容装置、前記アクセス装置、前記データ転送装置あるいはコンテンツ配信サーバのうち少なくともコンテンツ配信サーバ収容装置で扱われている情報トラヒック量あるいは処理負荷量を監視する品質マネージャと、ユーザ情報、課金情報のうち少なくともユーザ情報を管理するユーザ管理サーバとから構成されるコンテンツ駆動型コンテンツ配信システムであって、
前記アクセス装置は、ユーザから送出されるコンテンツ配信サーバ接続要求あるいはコンテンツ取得要求のパケットヘッダに対し、接続マネージャを宛先、アクセス装置自身を送信元とするパケットヘッダに変換し、接続マネージャに当該パケットを送出する手段を有し、前記接続マネージャから当該仮想網ＩＤ、当該品質クラス及び当該装置ＩＤが通知されることによって、当該装置ＩＤを有するコンテンツ配信サーバ収容装置を宛先、アクセス装置自身を送信元とする前記コンテンツ配信サーバ接続要求あるいはコンテンツ取得要求を送出する手段を有することを特徴とするコンテンツ駆動型コンテンツ配信システム。
【請求項４】
請求項３記載のコンテンツ駆動型コンテンツ配信システムにおいて、
前記コンテンツ配信サーバ収容装置は、コンテンツ配信サーバから送られるコンテンツを載せたパケットに対し、アクセス装置を宛先、コンテンツ配信サーバ収容装置自身を送信元とするパケットヘッダに変換し、隣接するデータ転送装置に当該パケットを送出する手段を有し、前記アクセス装置は、当該パケットに対し、ユーザ端末を宛先、アクセス装置自身を送信元とするパケットヘッダに変換し、ユーザに当該パケットを送出する手段を有することを特徴とするコンテンツ駆動型コンテンツ配信システム。
【請求項５】
請求項３記載のコンテンツ駆動型コンテンツ配信システムにおいて、
ユーザ認証が不成功、あるいはユーザ情報が取得許可条件を満足しない場合、接続マネージャは接続否と判断し、接続不可の通知を、アクセス装置を宛先、接続マネージャ装置自身を送信元とするパケットヘッダに乗せ、アクセス装置に送出する手段を有し、前記アクセス装置は、受信した接続不可の通知に対し、ユーザ端末を宛先、アクセス装置自身を送信元とするパケットヘッダに変換し、ユーザに対して接続不可の通知を送出することを特徴とするコンテンツ駆動型コンテンツ配信システム。
【手続補正３】
【補正対象書類名】明細書
【補正対象項目名】００４０
【補正方法】変更
【補正の内容】
【００４０】
【課題を解決するための手段】
本願において開示される発明の概要を簡単に説明すれば、下記のとおりである。
（１）少なくとも１つ以上のコンテンツを蓄積するコンテンツ配信サーバを収容しており、ユーザ側処理装置から送出されるコンテンツ配信サーバ接続情報要求あるいはコンテンツ取得要求を前記コンテンツ配信サーバに転送し、前記コンテンツ配信サーバから送られるコンテンツを載せたパケットに対し、品質クラスの品質識別子を付与し前記ユーザ側処理装置に向けて送出するコンテンツ配信サーバ収容装置と、ユーザ側処理装置から送出されるコンテンツ配信サーバ接続要求あるいはコンテンツ取得要求に基づき仮想網ＩＤ及び品質クラスを特定すると共に、情報トラヒック量あるいは処理負荷量に基づきコンテンツ配信網に形成した仮想網を介し前記コンテンツ配信サーバ収容装置に接続するための装置ＩＤを特定し、特定された前記仮想網ＩＤ、前記品質クラス、コンテンツ配信サーバ収容装置に接続するための前記装置ＩＤを通知する接続マネージャとを備えるコンテンツ駆動型コンテンツ配信システムに用いられ、前記接続マネージャより受信した仮想網ＩＤに基づき、前記ユーザ側処理装置から送出されるユーザパケットに対し、前記品質クラスの品質識別子の付与及び前記仮想網への転送を行い、前記仮想網から送られてくるコンテンツを前記ユーザ側処理装置に転送するアクセス装置であって、前記ユーザ側処理装置から送出されるコンテンツ配信サーバ接続要求あるいはコンテンツ取得要求のパケットヘッダに対し、前記接続マネージャを宛先、アクセス装置自身を送信元とするパケットヘッダに変換し、前記接続マネージャに当該パケット（変換したパケット）を送出する手段と、前記接続マネージャから仮想網ＩＤ、品質クラス、コンテンツ配信サーバ収容装置に接続するための装置ＩＤが通知されることによって、前記装置ＩＤを有するコンテンツ配信サーバ収容装置を宛先、アクセス装置自身を送信元とする前記コンテンツ配信サーバ接続要求あるいはコンテンツ取得要求を送出する手段とを有する。
（２）ユーザ側処理装置から送出されるコンテンツ配信サーバ接続要求あるいはコンテンツ取得要求に基づき、仮想網ＩＤ及び品質クラスを特定し、情報トラヒック量あるいは処理負荷量に基づき、コンテンツ配信網に形成した仮想網を介してコンテンツ配信サーバ収容装置に接続するための装置ＩＤを特定し、特定された前記仮想網ＩＤ、前記品質クラス、コンテンツ配信サーバ収容装置に接続するための前記装置ＩＤを通知する接続マネージャと、前記接続マネージャより受信した前記仮想網ＩＤに基づき、前記ユーザ側処理装置から送出されるユーザパケットに対し、前記品質クラスの品質識別子の付与及び前記仮想網への転送を行い、前記仮想網から送られてくるコンテンツを前記ユーザ側処理装置に転送するアクセス装置とを備えるコンテンツ駆動型コンテンツ配信システムに用いられ、ユーザ側処理装置から送出されるコンテンツ配信サーバ接続情報要求あるいはコンテンツ取得要求を前記コンテンツ配信サーバに転送し、前記コンテンツ配信サーバから送られるコンテンツを載せたパケットに対し、品質クラスの品質識別子を付与し前記ユーザ側処理装置に向けて送出するコンテンツ配信サーバ収容装置であって、前記コンテンツ配信サーバから送られるコンテンツを載せたパケットに対し、前記アクセス装置を宛先、コンテンツ配信サーバ収容装置自身を送信元とするパケットヘッダに変換し、前記変換されたパケットを隣接するデータ転送装置に送出する手段を有し、前記アクセス装置がコンテンツを載せたパケットに対し、ユーザ側処理装置を宛先、アクセス装置自身を送信元とするパケットヘッダに変換し、ユーザ側処理装置に当該パケットを送出する。
（３）少なくとも１つ以上のコンテンツを蓄積し、コンテンツ配信サーバ接続要求あるいはコンテンツ取得要求に応答して、当該コンテンツを送出するコンテンツ配信サーバと、各コンテンツに付与されたコンテンツＩＤの管理、各コンテンツを収容するコンテンツ配信サーバ収容装置の装置ＩＤの管理、コンテンツ毎の取得許可条件の管理、コンテンツＩＤと当該コンテンツを収容する装置ＩＤとの対応管理、コンテンツＩＤと当該コンテンツを転送する仮想網の仮想網ＩＤとの対応管理、及びコンテンツＩＤと当該コンテンツを転送する際の品質クラスとの管理の各管理を行うコンテンツ管理サーバと、ユーザから送出されるコンテンツ配信サーバ接続要求あるいはコンテンツ取得要求を受信し、この受信情報に基づき、該仮想網ＩＤ及び該品質クラスを特定し、品質マネージャが監視しているコンテンツ配信サーバ収容装置、アクセス装置、データ転送装置、及びコンテンツ配信サーバで処理されている情報トラヒック量あるいは処理負荷量に基づき、装置ＩＤを特定し、当該仮想網ＩＤ、当該品質クラス、及び当該装置ＩＤをアクセス装置に通知する手段を有する接続マネージャと、前記接続マネージャより受信した前記仮想網ＩＤに基づき、ユーザから送出されるユーザパケットに対し、当該品質クラスの品質識別子の付与及び当該仮想網への転送を行い、また、当該仮想網から送られてくるコンテンツをユーザに転送するアクセス装置と、前記コンテンツ配信サーバを収容し、データ転送装置から送られる前記コンテンツ配信サーバ接続情報要求あるいは前記コンテンツ取得要求をコンテンツ配信サーバに転送する手段と、コンテンツ配信サーバから送られるコンテンツを載せたパケットに対し、当該品質クラスの品質識別子の付与、データ転送装置への転送を行う手段を有するコンテンツ配信サーバ収容装置と、前記コンテンツ配信サーバ接続要求あるいは前記コンテンツ取得要求を、前記品質識別子に基づき、宛先のコンテンツ配信サーバ収容装置に転送する手段と、コンテンツを前記品質識別子に基づき、宛先のユーザを収容するアクセス装置に転送する手段を有する前記データ転送装置と、前記アクセス装置と前記データ転送装置、あるいは、前記コンテンツ配信サーバ収容装置と前記データ転送装置とを相互に接続することによって形成されるコンテンツ配信網と、前記コンテンツ配信サーバ収容装置、前記アクセス装置、前記データ転送装置あるいはコンテンツ配信サーバのうち少なくともコンテンツ配信サーバ収容装置で扱われている情報トラヒック量あるいは処理負荷量を監視する品質マネージャと、ユーザ情報、課金情報のうち少なくともユーザ情報を管理するユーザ管理サーバとから構成されるコンテンツ駆動型コンテンツ配信システムであって、前記アクセス装置は、ユーザから送出されるコンテンツ配信サーバ接続要求あるいはコンテンツ取得要求のパケットヘッダに対し、接続マネージャを宛先、アクセス装置自身を送信元とするパケットヘッダに変換し、接続マネージャに該パケットを送出する手段を有し、前記接続マネージャから当該仮想網ＩＤ、当該品質クラス及び当該装置ＩＤが通知されることによって、当該装置ＩＤを有するコンテンツ配信サーバ収容装置を宛先、アクセス装置自身を送信元とする前記コンテンツ配信サーバ接続要求あるいはコンテンツ取得要求を送出する手段を有するものである。


【手続補正４】
【補正対象書類名】明細書
【補正対象項目名】００４１
【補正方法】変更
【補正の内容】
【００４１】
（４）前記（３）記載のコンテンツ駆動型コンテンツ配信システムにおいて、前記コンテンツ配信サーバ収容装置は、コンテンツ配信サーバから送られるコンテンツを載せたパケットに対し、アクセス装置を宛先、コンテンツ配信サーバ収容装置自身を送信元とするパケットヘッダに変換し、隣接するデータ転送装置に当該パケットを送出する手段を有し、アクセス装置は、該パケットに対し、ユーザ端末を宛先、アクセス装置自身を送信元とするパケットヘッダに変換し、ユーザに該パケットを送出する手段を有するものである。


【手続補正５】
【補正対象書類名】明細書
【補正対象項目名】００４２
【補正方法】変更
【補正の内容】
【００４２】
（５）前記（３）記載のコンテンツ駆動型コンテンツ配信システムにおいて、ユーザ認証が不成功、あるいはユーザ情報が取得許可条件を満足しない場合、接続マネージャは接続否と判断し、接続不可の通知を、アクセス装置を宛先、接続マネージャ装置自身を送信元とするパケットヘッダに乗せ、アクセス装置に送出する手段を有し、前記アクセス装置は、受信した接続不可の通知に対し、ユーザ端末を宛先、アクセス装置自身を送信元とするパケットヘッダに変換し、ユーザに対して接続不可の通知を送出するものである。